(57)【要約】  デバイス構成のための方法であって、デバイス側で、ＳＴＡモードで機能すること（４０２）と、検出されたＡＰデバイスのいずれか１つにデバイスを接続することができないと判断された場合に、ＡＰモードに変更すること（４０６）とを含む、方法が提供される。
2017539176.tif 000002
【特許請求の範囲】
【請求項１】
デバイス構成のための方法であって、デバイス側で、
ＳＴＡモードで機能すること（４０２）と、
検出されたＡＰデバイスのいずれか１つに前記デバイスを接続することができないと判断された場合に、ＡＰモードに変更すること（４０６）と
を含む、方法。
【請求項２】
検出されたＡＰデバイスのいずれか１つに前記デバイスを接続できるかどうかを判断すること
をさらに含む、請求項１に記載の方法。
【請求項３】
前記判断することが、
少なくとも１つの格納された構成アイテムを得ることであって、構成アイテムが、ＡＰデバイスに接続するために使用される、得ることと、
前記検出されたＡＰデバイスに接続するために、前記少なくとも１つの格納された構成アイテムを使用することと、
前記少なくとも１つの格納された構成アイテムのうちの１つを前記検出されたＡＰデバイスのうちの１つに接続するために使用できるかどうかを判断することと
をさらに含む、請求項２に記載の方法。
【請求項４】
ＡＰモードの前記デバイスに制御デバイスを接続するための情報を含む信号を出力すること
をさらに含む、請求項１に記載の方法。
【請求項５】
制御デバイスとの接続を確立することと、
ＡＰデバイスに対する構成パラメータを受信することと、
前記構成パラメータを構成アイテムとして格納することと、
ＳＴＡモードに変更することと
をさらに含む、請求項１に記載の方法。
【請求項６】
デバイス構成のためのデバイスであって、
ＳＴＡモードで機能するように構成された接続インタフェースモジュール（２０１）と、
検出されたＡＰデバイスのいずれか１つに前記接続インタフェースモジュール（２０１）を接続することができないと判断された場合に、前記接続インタフェースモジュール（２０１）をＡＰモードに変更するように構成された制御モジュール（３０２）と
を含む、デバイス。
【請求項７】
検出されたＡＰデバイスのいずれか１つに前記接続インタフェースモジュール（２０１）を接続できるかどうかを判断するように構成された状態マネージャ（３０１）
をさらに含む、請求項６に記載のデバイス。
【請求項８】
少なくとも１つの構成アイテムを格納するように構成されたメモリ（２０３）であって、構成アイテムが、ＡＰデバイスに接続するために使用される、メモリ（２０３）
をさらに含み、
前記状態マネージャ（３０１）が、前記メモリ（２０３）から前記少なくとも１つの構成アイテムを得て、前記検出されたＡＰデバイスに接続するために、前記少なくとも１つの構成アイテムを使用し、前記少なくとも１つの構成アイテムのうちの１つを前記検出されたＡＰデバイスのうちの１つに接続するために使用できるかどうかを判断するようにさらに構成される、請求項７に記載のデバイス。
【請求項９】
ＡＰモードの前記接続インタフェースモジュール（２０１）に制御デバイスを接続するための情報を含む信号を出力するように構成されたディスプレイインタフェースモジュール（２０４）
をさらに含む、請求項６に記載のデバイス。
【請求項１０】
前記接続インタフェースモジュール（２０１）が、制御デバイスとの接続を確立するようにさらに構成され、
前記状態マネージャ（３０１）が、ＡＰデバイスに対する構成パラメータを受信し、前記構成パラメータを構成アイテムとして前記メモリ（２０３）に格納するようにさらに構成され、
前記制御モジュール（３０２）が、ＳＴＡモードに変更するようにさらに構成される、請求項６に記載のデバイス。
【発明の詳細な説明】
【技術分野】
【０００１】
本開示は、ネットワークに関し、より具体的には、デバイス構成のための方法およびデバイスに関する。
【背景技術】
【０００２】
オーバーザトップコンテンツ（ＯＴＴ）は、コンテンツの制御または配信において複数システムオペレータが関与しない、インターネット上での音声、ビデオおよび他のメディアコンテンツの伝達を指す。インターネットプロバイダは、インターネットプロトコルパケットのコンテンツを知っているが、コンテンツの閲覧能力、著作権および／または他の再配信に対する責任を有することはなく、また、コンテンツの閲覧能力、著作権および／または他の再配信を制御することもできない。現在のＯＴＴボックスは、ハードウェアリモートコントロールデバイス（すなわち、リモートコントローラ）を有する場合が多く、一部のＯＴＴボックスは、ユーザのスマートフォンまたはタブレット上にインストールされるリモートコントロールアプリケーションを提供することもできる。一部のＯＴＴボックスでは、ユーザは、ＯＴＴボックスをコンテンツサーバまたはインターネットに接続するために、ネットワークパラメータを構成する必要がある。
【発明の概要】
【発明が解決しようとする課題】
【０００３】
ＯＴＴボックスを構成するための方法が望ましい。
【課題を解決するための手段】
【０００４】
本開示の態様によれば、デバイス構成のための方法であって、デバイス側で、ＳＴＡモードで機能することと、検出されたＡＰデバイスのいずれか１つにデバイスを接続することができないと判断された場合に、ＡＰモードに変更することとを含む、方法が提供される。
【０００５】
本開示の別の態様によれば、デバイス構成のための方法であって、ＳＴＡモードで機能するように構成された接続インタフェースモジュールと、検出されたＡＰデバイスのいずれか１つに接続インタフェースモジュールを接続することができないと判断された場合に、接続インタフェースモジュールをＡＰモードに変更するように構成された制御モジュールとを含む、方法が提供される。
【０００６】
本発明のさらなる態様や利点は以下の本発明の詳細な説明で見られることを理解されたい。
【０００７】
添付の図面は、本発明のさらなる理解を提供するために含まれ、この出願に組み込まれ、この出願の一部を構成するものであり、説明によって解説されるように本発明の実施形態を示すために使用される。本発明は、その実施形態に限定されない。
【図面の簡単な説明】
【０００８】
【図１】本開示の実施形態による、ユーザにサービスを提供するためのシステムの例を示すブロック図である。
【図２】本開示の実施形態による、ＯＴＴボックスのハードウェア構成を示すブロック図である。
【図３】本開示の実施形態による、ＣＰＵを示す詳細なブロック図である。
【図４】本開示の実施形態による、ＯＴＴボックスを構成するための方法を示すフローチャートである。
【図５】本開示の実施形態による、判断ステップの第１の実装形態を示すフローチャートである。
【図６】本開示の実施形態による、判断ステップの第２の実装形態を示すフローチャートである。
【発明を実施するための形態】
【０００９】
ここでは、図面と併せて本開示の実施形態を詳細に説明する。以下の説明では、明確かつ簡潔にするため、公知の機能や構成のいくつかの詳細な説明を省略することができる。
【００１０】
本開示は、制御デバイス（例えば、タブレット、電話、コンピュータおよびラップトップ）によって、ユーザ側で、ＯＴＴボックスなどのサービス提供デバイスを構成する方法を開示する。サービス提供デバイスは、１つまたは複数の検出されたＷｉ−Ｆｉ  ＡＰに対するそのＷｉ−Ｆｉ構成の利用可能性に基づいて、ＡＰ（アクセスポイント）モードとＳＴＡ（ステーション）モードとの間で自動的に切り替わる。サービス提供デバイスが、検出されたＷｉ−Ｆｉ  ＡＰに対する有効なＷｉ−Ｆｉ構成を有する（すなわち、サービス提供デバイスがＷｉ−Ｆｉ  ＡＰにうまく接続される）場合は、サービス提供デバイスは、ＳＴＡモードに切り替わる。そうでない場合は、サービス提供デバイスは、ＡＰモードに切り替わる。ＡＰモードでは、制御デバイスは、サービス提供デバイスに直接接続され、ブラウザ（例えば、Internet Explorer）を使用してブラウズし、サービス提供デバイスのパラメータを構成する。ＳＴＡモードでは、制御デバイスは、Ｗｉ−Ｆｉ  ＡＰを介して、サービス提供デバイスに接続される。言い換えれば、サービス提供デバイスと制御デバイスは両方とも、ＳＴＡモードで機能し、Ｗｉ−Ｆｉ  ＡＰに接続される。ユーザは、サービス提供デバイスを制御または構成するために、制御デバイス上でアクセスされる（ブラウザのＵＲＬを介して）ＨＴＭＬページに提供されるリモートコントロール機能を使用する。図１は、本開示の実施形態による、ユーザにサービスを提供するためのシステムの例を示すブロック図である。
【００１１】
システムは、サービスサーバ１０１、ＡＰ  １０２、サービス提供デバイス１０３、制御デバイス１０４およびディスプレイ１０５を含む。サービスサーバ１０１は、サービス（例えば、ビデオオンデマンド（ＶｏＤ）コンテンツ）を提供する。ＡＰ  １０２、サービス提供デバイス１０３、制御デバイス１０４およびディスプレイ１０５は、地理的な場所の観点から、ユーザ側にある。ＡＰ  １０２は、インターネットを介してサービスサーバ１０１に接続される。サービス提供デバイス１０３は、無線方式でＡＰ  １０２に接続され、サービスおよび他の情報を表示するためにディスプレイ１０５に接続される。制御デバイス１０４は、無線方式でＡＰ  １０２に接続され、サービス提供デバイス１０３によって提供されるＨＴＭＬページを介してサービス提供デバイスを制御する。
【００１２】
以下は、ＯＴＴサービスの文脈内で本開示の実施形態を説明する例である。この解決法を実装すると、ＯＴＴボックスは、ＡＰモードとＳＴＡモードとの間で自動的に切り替わる。そして、関連情報は、ＯＴＴボックスが接続されたＴＶまたはディスプレイ上に表示される。ユーザは、ＯＴＴボックスを構成または制御するために、彼らのスマートフォンまたはタブレット上でブラウザを開く（またはＵＲＬを得るためにＴＶ画面上のＱＲコード（登録商標）をスキャンする）。図２は、本開示の実施形態による、ＯＴＴボックスのハードウェア構成を示すブロック図である。
【００１３】
ＯＴＴボックス２００は、ｗｉｆｉインタフェースモジュール２０１、ＣＰＵ（中央処理装置）２０２、メモリ２０３およびディスプレイインタフェースモジュール２０４を含む。そして、任意選択により、ＯＴＴボックス２００は、ユーザインタフェースモジュール２０５を有し得る。
【００１４】
ｗｉｆｉインタフェースモジュール２０１は、ＩＥＥＥ  ８０２．１１  ａ／ｂ／ｇ／ｎ機能を実行する（近くのＡＰをスキャンすることを含む）ためのハードウェアであり、ユニバーサルシリアルバスを介して、ＣＰＵ  ２０２が設置されるメインボードと通信することができる。ｗｉｆｉインタフェースモジュール２０１は、ＡＰモードおよびＳＴＡモード（インフラモードおよびアドホックモードとも呼ばれる）の両方をサポートし、動作の間、モードを切り替えることができる。ＳＴＡモードでは、ｗｉｆｉインタフェースモジュール２０１は、ＡＰクライアントとして動作し、ＡＰクライアントは、ｗｉｆｉ  ＡＰに接続することができ、既存の無線ネットワークにリンクすることができる。ＡＰモードでは、ｗｉｆｉインタフェースモジュール２０１は、ＡＰホストとして動作し、ＡＰホストは、他のｗｉｆｉアダプタ（すなわち、ＡＰクライアント）がＡＰホストに接続できるようにすることができる。モード切替を可能にし、モード切替のためのプログラムインタフェースを提供する既存のｗｉｆｉチップセットが存在する。
【００１５】
ＣＰＵ（中央処理装置）２０２は、メモリ２０３に格納された命令およびデータに基づいて、動作全体を制御する。
【００１６】
メモリ２０３は、ランダムアクセスメモリ（ＲＡＭ）および読み取り専用メモリ（ＲＯＭ）を含み得る。メモリ２０３は、データ（例えば、ｗｉｆｉ構成パラメータの値）およびコンピュータプログラム命令を格納するために使用される。
【００１７】
ディスプレイインタフェースモジュール２０４は、ディスプレイ１０５に接続し、ディスプレイ１０５にビデオ信号を出力するために使用される。
【００１８】
ユーザインタフェースモジュール２０５は、ａ）ｗｉｆｉインタフェースモジュール２０１がＡＰモードとＳＴＡモードのどちらのモードで機能しているか、および、ｂ）ＯＴＴボックスのｗｉｆｉ接続の状態を示すために使用される。例えば、ユーザインタフェースモジュールは、ＯＴＴボックス２００のパネル上のＬＥＤインジケータである。
【００１９】
以下では、図２および図３を参照して、ＯＴＴボックスを構成するための方法を説明する。図２は、ハードウェア構成図であり、図３は、本開示の実施形態による、ＣＰＵ  ２０２を示す詳細なブロック図である。ＣＰＵ  ２０２は、ネットワーク状態マネージャ３０１、制御モジュール３０２およびウェブサービスモジュール３０３を含み得る。
【００２０】
ネットワーク状態マネージャ３０１は、Ｗｉｆｉ接続の状態をモニタし、ｗｉｆｉインタフェースモジュールが動作中のＡＰに接続されているか否かについて、および、ディスプレイインタフェースモジュール２０４を介するディスプレイ１０５上および／またはユーザインタフェースモジュール２０５上のどの動作中のＡＰかについての状態情報を表示するために使用される。
【００２１】
制御モジュール３０２は、ｗｉｆｉインタフェースモジュール２０１のモードを制御するために使用される。
【００２２】
ウェブサービスモジュール３０３は、ＯＴＴボックスを制御または構成するためのウェブページを生成し、ウェブページ上で入力された要求を受信し、ＯＴＴボックスに関する対応する命令を実行するために使用される。ウェブページは、ユーザの制御デバイスのブラウザ上に表示される。
【００２３】
変形実施形態によれば、ウェブサービスモジュール３０３は、ウェブページを生成しない。ウェブサービスモジュール３０３は、命令（例えば、制御デバイスからのＩＰパケットに封入されたメッセージまたは命令）を受信するために使用される。
【００２４】
図４は、本開示の実施形態による、ＯＴＴボックスを構成するための方法を示すフローチャートである。
【００２５】
ステップ４０１では、ＯＴＴボックスを起動し、ネットワーク状態マネージャ３０１、制御モジュール３０２およびウェブサービスモジュール３０３は、デーモンプロセスとして機能する。
【００２６】
ステップ４０２では、ｗｉｆｉインタフェースモジュール２０１は、ＳＴＡモードで機能するように構成される。
【００２７】
ステップ４０３では、ネットワーク状態マネージャ３０１は、メモリ２０３に格納された（または、事前に構成された、既存の）ｗｉｆｉ構成を決定し、近くの動作中のＡＰを決定する。ここでは、「動作中の」は、ＡＰが機能状態または動作状態であることを意味する。ｗｉｆｉ構成は、ｗｉｆｉ構成アイテムで構成されている。各アイテムは、ＳＳＩＤ（サービスセット識別子）、ネットワークタイプ（ＷＥＰ、ＷＰＡ／ＷＰＡ２および暗号化なしを含む）およびパスワードに対する少なくとも３つのデータフィールドを含む。ネットワークタイプが「暗号化なし」であるアイテムの場合、そのパスワードは空隙である。次いで、ｗｉｆｉインタフェースモジュール２０１は、格納されたｗｉｆｉ構成を用いて、決定された動作中のＡＰを接続することを試みる。
【００２８】
ステップ４０４では、ネットワーク状態マネージャ３０１は、ｗｉｆｉインタフェースモジュール２０１が、格納されたｗｉｆｉ構成を用いて、決定された動作中のＡＰのうちの１つにうまく接続されているかどうかを判断する。言い換えれば、ネットワーク状態マネージャ３０１は、ｗｉｆｉインタフェースモジュール２０１が、１つの格納されたｗｉｆｉ構成アイテムを用いて、１つの暗号化された動作中のＡＰまたは１つの暗号化されていない動作中のＡＰにうまく接続できるかどうかを判断する。結果が肯定であれば、ステップ４０５に進む。そして、結果が否定であれば、ステップ４０６に進む。動作中のＡＰが存在しない極端な事例では、判断結果は、ｗｉｆｉインタフェースモジュール２０１がＡＰに接続されていないというものである。従って、ステップ４０６に進む。
【００２９】
ステップ４０５では、ｗｉｆｉインタフェースモジュール２０１は、ＳＴＡモードのまま機能し続ける。別の変形形態によれば、ＯＴＴボックス２００がユーザインタフェースモジュール２０５を有する場合は、ユーザインタフェースモジュール２０５は、ＬＥＤインジケータを使用して、ｗｉｆｉインタフェースモジュール２０１がＳＴＡモードで機能していることを示すことができる。実施形態では、ＯＴＴボックスを制御するため（例えば、メディアコンテンツを変更するためなど）のウェブページのＵＲＬ（ユニフォームリソースロケータ）は、ディスプレイ１０５上のディスプレイインタフェースモジュールによって示される。ウェブページは、ウェブサービスモジュール３０３によって生成される。別の実施形態では、ＯＴＴボックスを制御するためにウェブページにアクセスするためのＱＲコード（クイックレスポンスコード、それはマトリクスバーコードまたは二次元バーコードの一種である）が使用され、ディスプレイ１０５上に示される。ユーザは、ウェブページにアクセスするため、制御デバイスを使用してＱＲコードをスキャンすることができる。本明細書では、ＱＲコードは、何らかのＱＲコードジェネレータによってＵＲＬを符号化することによって生成される。
【００３０】
ステップ４０６では、ｗｉｆｉインタフェースモジュール２０１は、ＡＰモードでの機能に変更し、制御デバイスからの接続要求を待つ。別の変形形態によれば、ＯＴＴボックス２００がユーザインタフェースモジュール２０５を有する場合は、ユーザインタフェースモジュール２０５は、ＬＥＤインジケータを使用して、ｗｉｆｉインタフェースモジュール２０１がＡＰモードで機能していることを示すことができる。ｗｉｆｉインタフェースモジュール２０１に制御デバイスを接続できるようにするため、ディスプレイインタフェースモジュールは、ｗｉｆｉインタフェースモジュールに制御デバイスを接続するための情報を含む信号を出力する。実施形態では、情報は、ｗｉｆｉインタフェースモジュール２０１がＡＰモードで暗号化される場合は、ＯＴＴボックスのパラメータを構成するためのウェブページのＵＲＬ（ユニフォームリソースロケータ）（例えば、ＡＰのためのｗｉｆｉ構成）、ＳＳＩＤ、ネットワークタイプおよびパスワードを含む。情報は、ディスプレイ１０５上のディスプレイインタフェースモジュールによって示される。ウェブページは、ウェブサービスモジュール３０３によって生成される。ユーザは、ＳＳＩＤ、ネットワークタイプおよびパスワードを使用して、ｗｉｆｉインタフェースモジュール２０１に制御デバイスを接続し、次いで、ＡＰへの接続を可能にする目的で、ＵＲＬを使用して、パラメータを構成するためのウェブページにアクセスする。別の実施形態では、ｗｉｆｉインタフェースモジュール２０１に接続するためのＱＲ（クイックレスポンス）コードおよびＯＴＴボックスのパラメータを構成するためのウェブページにアクセスするためのＱＲコードが使用され、ディスプレイ１０５上に示される。ユーザは、ｗｉｆｉインタフェースモジュールに接続するためおよびウェブページにアクセスするため、制御デバイスを使用して２つのＱＲコードを順番にスキャンすることができる。ｗｉｆｉインタフェースモジュール２０１は、検証後に接続要求を受諾し、構成パラメータの入力の受信を待つ。ユーザが制御デバイスを使用してＡＰのための構成を終えた後（例えば、ユーザがＡＰのためのＳＳＩＤ、ネットワークタイプおよびパスワードを入力するためにウェブページの「ＯＫ」ボタンをクリックする）、メモリ２０３は、入力を格納し、ｗｉｆｉインタフェースモジュール２０１は、ＳＴＡモードでの機能に変更し、ＡＰに接続される。その上、制御デバイスは、ｗｉｆｉインタフェースモジュール２０１との接続を切断し、ＡＰに接続される。次いで、ディスプレイ１０５上に表示されたＵＲＬまたはＱＲコードを使用して、ＯＴＴボックスを制御することができる。
【００３１】
判断に関して、図５は、本開示の実施形態による、判断ステップの第１の実装形態を示すフローチャートである。ステップ５０１では、ネットワーク状態マネージャは、ｗｉｆｉ構成アイテムをメモリ２０３から得る。ステップ５０２では、ネットワーク状態マネージャは、動作中のＡＰを検出する。ステップ５０３では、検出された暗号化された動作中のＡＰの各々に対し、ネットワーク状態マネージャは、動作中のＡＰの接続を試みるために、動作中のＡＰと同じＳＳＩＤを有するｗｉｆｉ構成アイテムを使用する。しかし、動作中のＡＰに接続できる場合は、反復を中断する。ステップ５０４では、ネットワーク状態マネージャは、ｗｉｆｉインタフェースモジュールが１つの検出された暗号化された動作中のＡＰに接続されているかどうかを判断する。肯定の場合は、ステップ４０５に進む。否定の場合は、ネットワーク状態マネージャは、ステップ５０５において、検出された暗号化されていないＡＰに接続することを試みる。ステップ５０６では、ネットワーク状態マネージャは、ｗｉｆｉインタフェースモジュールが１つの検出された暗号化されていない動作中のＡＰに接続されているかどうかを判断する。肯定の場合は、ステップ４０５に進む。否定の場合は、ステップ４０６に進む。本明細書では、任意選択により、ステップ５０３および５０５において、検出されたＡＰには、信号強度の順番で優先度が割り当てられる。優先度は、接続順番のために使用される。
【００３２】
判断に関して、図６は、本開示の実施形態による、判断ステップの第２の実装形態を示すフローチャートである。ステップ６０１では、ネットワーク状態マネージャは、暗号化されていない動作中のＡＰを検出する。ステップ６０２では、ネットワーク状態マネージャは、検出された暗号化されていないＡＰに接続することを試みる。ステップ６０３では、ネットワーク状態マネージャは、ｗｉｆｉインタフェースモジュールが１つの検出された暗号化されていない動作中のＡＰに接続されているかどうかを判断する。肯定の場合は、ステップ４０５に進む。否定の場合は、ネットワーク状態マネージャは、ステップ６０４において、暗号化された動作中のＡＰを検出する。ステップ６０５では、ネットワーク状態マネージャは、ｗｉｆｉ構成アイテムをメモリ２０３から得る。ステップ６０６では、検出された暗号化された動作中のＡＰの各々に対し、ネットワーク状態マネージャは、動作中のＡＰの接続を試みるために、動作中のＡＰと同じＳＳＩＤを有するｗｉｆｉ構成アイテムを使用する。ステップ６０７では、ネットワーク状態マネージャは、ｗｉｆｉインタフェースモジュールが１つの検出された暗号化された動作中のＡＰに接続されているかどうかを判断する。肯定の場合は、ステップ４０５に進む。否定の場合は、ステップ４０６に進む。変形実施形態によれば、ネットワーク状態マネージャは、ステップ６０１において、すべての動作中のＡＰを検出することができる。そして、この事例では、ステップ６０４は不要である。
【００３３】
図５および図６は、単に、判断ステップの２つの実装形態を与えるものであり、当業者は、他の実装形態を得るために２つの実装形態を修正できることに留意するものとする。
【００３４】
通信ネットワークからダウンロード可能な、コンピュータによって読み取り可能な媒体上に記録された、および／または、プロセッサによって実行可能なコンピュータプログラム製品は、上記で説明される方法のステップを実装するためのプログラムコード命令を含む。
【００３５】
その上に記録され、プロセッサによる実行が可能なコンピュータプログラム製品を含む非一時的なコンピュータ可読媒体は、上記で説明される方法のステップを実装するためのプログラムコード命令を含む。
【００３６】
上記の実施形態はサービス提供デバイス（すなわち、ＯＴＴボックス）を参照して説明されているが、上記の実施形態は、ＳＴＡモードとＡＰモードとの間で切り替わることができ、サービスを提供する際はその機能モードがＳＴＡモードである、他のネットワークデバイスにも適用できることに留意するものとする。
【００３７】
多くの実装形態について説明してきた。それにもかかわらず、様々な変更を行えることが理解されよう。例えば、他の実装形態を生成するために、異なる実装形態の要素を組み合わせることも、補足することも、変更することも、除去することもできる。それに加えて、当業者は、開示されるものの代わりに、他の構造およびプロセスを代用することができ、結果として得られる実装形態は、開示される実装形態と少なくとも実質的に同じ結果を達成するために、少なくとも実質的に同じ方法で、少なくとも実質的に同じ機能を実行することを理解するであろう。それに従って、これらのおよび他の実装形態は、この出願によって企図され、添付の請求項によって定義されるように本発明の範囲内である。
【図１】
2017539176.tif 000003
【図２】
2017539176.tif 000004
【図３】
2017539176.tif 000005
【図４】
2017539176.tif 000006
【図５】
2017539176.tif 000007
【図６】
2017539176.tif 000008
【国際調査報告】
2017539176.tif 000009
2017539176.tif 000010